(57)【要約】【課題】除湿及び再生を効率的に行うことのできる画像形成装置を提供する。【解決手段】加熱再生型の円筒状の除湿部材３５４を回転可能に筐体３５０ａに取り付け、この除湿部材３５４により筐体内部に設けられたシート収納部９０３と連通する乾燥空間３５１と、除湿部材３５４を加熱して再生させるための加熱部３０９が設けられた除湿部材３５４を再生させる再生空間３５２とを仕切るようにする。そして、除湿部材３５４を回転させて除湿部材３５４の乾燥空間側の部分を再生空間３５２に移動し、加熱部３０９により加熱して再生させる。【選択図】図１
2008256872.tif 000002
【特許請求の範囲】
【請求項１】
シートに画像を形成する画像形成部と、前記画像形成部に供給するシートが収納されるシート収納空間と、前記シート収納空間を除湿する除湿装置と、を備えた画像形成装置において、
前記除湿装置は、
加熱再生型の除湿部材と、
前記除湿部材により除湿をする乾燥空間及び前記除湿部材を再生させる再生空間と、
前記再生空間に設けられ、前記除湿部材を加熱して再生させるための加熱部と、
前記乾燥空間及び前記再生空間の間で前記除湿部材を移動させる駆動部と、を備え、
前記除湿部材を仕切り部材により複数に分割し、前記除湿部材の分割された各部分がそれぞれ前記乾燥空間及び前記再生空間に位置することを特徴とする画像形成装置。
【請求項２】
前記仕切り部材と共に前記乾燥空間と前記再生空間とを仕切る固定壁を備え、
前記駆動部により、前記仕切り部材と前記固定壁とが一致するように前記除湿部材を移動させることを特徴とする請求項１記載の画像形成装置。
【請求項３】
前記シート収納空間に出し入れ可能に装着され、シートを収納するシート収納部と、
前記シート収納部の装着の有無を検知する装着検知部と、を備え、
前記装着検知部の検知結果に基づき前記除湿部材の移動及び前記加熱部の加熱動作を制御することを特徴とする請求項１又は２記載の画像形成装置。
【請求項４】
前記シート収納空間に装着され、シートを収納するシート収納部と、
シート収納部のシートの有無を検知するシート有無検知部と、を備え、
前記シート有無検知部の検知結果に基づき前記除湿部材の移動及び前記加熱部の加熱動作を制御することを特徴とする請求項１又は２に記載の画像形成装置。
【請求項５】
前記シート収納空間の湿度を検知する湿度検知部を備え、
前記湿度検知部の検知結果に基づき前記除湿部材の移動及び前記加熱部の加熱動作を制御することを特徴とする請求項１又は２に記載の画像形成装置。
【請求項６】
シートを収納するシート収納部を設け、前記シート収納部をカバーにより密閉して前記シート収納空間を形成し、前記シート収納空間を前記除湿装置により除湿することを特徴とする請求項１乃至５のいずれか１項に記載の画像形成装置。
【請求項７】
前記除湿部材は、円筒状形状の多孔質の材質からなり、水分を含む空気環境下では水分を吸着し、高温の環境下では水分を放出することを特徴とする請求項１乃至６のいずれか１項に記載の画像形成装置。
【発明の詳細な説明】
【技術分野】
【０００１】
本発明は、画像形成装置に関し、特に除湿装置によりシートが収納されたシート収納空間を除湿するようにしたものに関する。
【背景技術】
【０００２】
従来の複写機、プリンタ等の画像形成装置においては、シート収納空間に収納されたシートをピックアップローラにより最上位のものから１枚ずつ順次送り出した後、分離部により一枚ずつ分離して画像形成部に給送するシート給送装置を備えている。なお、このようなシート給送装置において、シートを１枚ずつ確実に分離して給送するため、従来から様々な分離方式が採用されている。
【０００３】
ところで、画像形成装置が高湿環境下において放置される場合、シート収納空間に収納されているシートが、例えば表面に塗料等からなるコート材が塗布されたコート紙の場合、シートが吸湿する。
【０００４】
そして、このようにシートが吸湿すると、シート同士が互いに吸着しあうため、重送や給紙不良を引き起こす。更に、給紙搬送が可能であっても、シートの絶縁抵抗が大きく低下しているため、トナー像の転写特性が悪化した不良画像となりやすい。
【０００５】
そこで、従来では、吸湿を防止するため、例えばシートの周辺環境温度を高くしてシートの吸湿を防止する方法が提案されている。この方法は、給紙カセットまたはシート収納空間内部の空気温度を上昇させるヒータを点灯させておき、シートの吸湿を防止するものである。
【０００６】
しかし、このような方法では常時ヒータを点灯する必要があり、電力的な無駄が多いことから、化学吸湿剤を含む除湿ユニットを用いる系なども提案されている（例えば、特許文献１参照）。
【０００７】
一方、室内用などの除湿装置として、加熱再生可能な除湿部材を用いて吸湿すると共に除湿部材を加熱することにより、吸湿した水分を除去して除湿部材を乾燥させ、除湿部材を再生する装置（デシカント型除湿機）が実用化されている。なお、このような加熱再生可能な除湿部材としては、多孔質のゼオライトなどの素材が用いられる。
【０００８】
【特許文献１】特開平９−４４０６３号公報
【発明の開示】
【発明が解決しようとする課題】
【０００９】
ところで、このような従来の除湿装置を備えた画像形成装置において、除湿ヒータを用いた場合は、画像形成装置内を暖めてしまい、不要な機内の昇温をもたらすことになる。また、室内用の除湿装置で用いられている加熱再生可能な除湿部材を用いた場合は、加熱再生のための熱により画像形成装置内を暖めてしまい、不要な機内の昇温をもたらすことになる。
【００１０】
さらに、除湿部材の除湿と加熱再生を切り換えるためのエアフローの切り換えなど煩雑な制御が必要となる。なお、煩雑なエアフローの切り換えを行わない場合は、乾燥した空気と湿気を含んだ空気が混在するため、除湿の効率が高められないという問題がある。
【００１１】
さらに、除湿動作のための除湿部材へのエアフローを外部とやり取りする構成では、装置の密閉が困難となり、装置停止時にも除湿装置を動作しつづけることになり電力消費が大きくなるといった問題が挙げられる。
【００１２】
そこで、本発明は、このような現状に鑑みてなされたものであり、除湿及び再生を効率的に行うことのできる画像形成装置を提供することを目的とするものである。
【課題を解決するための手段】
【００１３】
本発明は、シートに画像を形成する画像形成部と、前記画像形成部に供給するシートが収納されるシート収納空間と、前記シート収納空間を除湿する除湿装置と、を備えた画像形成装置において、前記除湿装置は、加熱再生型の除湿部材と、前記除湿部材により除湿をする乾燥空間及び前記除湿部材を再生させる再生空間と、前記再生空間に設けられ、前記除湿部材を加熱して再生させるための加熱部と、前記乾燥空間及び前記再生空間の間で前記除湿部材を移動させる駆動部、とを備え、前記除湿部材を仕切り部材により複数に分割し、分割された各部分がそれぞれ前記乾燥空間及び前記再生空間に位置することを特徴とするものである。
【発明の効果】
【００１４】
本発明のように、加熱再生型の除湿部材を仕切り部材により複数に分割し、除湿部材を移動させて除湿部材の分割された部分をそれぞれ乾燥空間及び再生空間に位置させることにより、除湿及び再生を効率的に行うことができる。
【発明を実施するための最良の形態】
【００１５】
以下、本発明を実施するための最良の実施の形態を図面を用いて詳細に説明する。
【００１６】
図１は、本発明の実施の形態に係る画像形成装置の一例であるプリンタの断面図である。
【００１７】
図１において、１０００はプリンタであり、このプリンタ１０００は、画像形成部９０１を備えたプリンタ本体９００と、プリンタ本体９００の上面に配され、原稿を読み取るスキャナ２０００とを備えている。
【００１８】
スキャナ２０００は、走査光学系光源２０１、プラテンガラス２０２、開閉する原稿圧板２０３、レンズ２０４、受光素子（光電変換）２０５、画像処理部２０６、画像処理部２０６にて処理された画像処理信号を記憶するためのメモリ部２０８等を備えている。
【００１９】
そして、原稿を読み取る際には、プラテンガラス２０２の上に載置された不図示の原稿に走査光学系光源２０１によって光を照射することにより読み取るようにしている。ここで、読み取った原稿像は画像処理部２０６により処理された後、電気的に符号化された電気信号２０７に変換されて作像手段たるレーザスキャナ１１１に伝送される。なお、画像処理部２０６にて処理され、符号化された画像情報を一旦メモリ部２０８に記憶させ、後述するコントローラ１２０からの信号によって、必要に応じてレーザスキャナ１１１に伝送することもできる。
【００２０】
プリンタ本体９００は、シートＳを給送するシート給送装置１００１〜１００４と、シート給送装置１００１〜１００４により給送されたシートＳを画像形成部９０１に搬送するシート搬送装置９０２を備えている。また、プリンタ本体９００は、プリンタ１０００を制御するための制御手段たるコントローラ１２０等を備えている。
【００２１】
ここで、シート給送装置１００１〜１００４は、シートを収納するシート収納部である給紙カセット１０と、ピックアップローラ１１と、フィードローラ１２及びリタードローラ１３とから成る分離部を備えている。そして、カセット１０内のシートＳは所定のタイミングで昇降／回転するピックアップローラ１１と、分離部との作用によって１枚ずつ分離給送されるようになっている。
【００２２】
また、フィードローラ１２とリタードローラ１３のシート搬送方向下流側近傍には給紙センサ１４が設けられており、この給紙センサ１４によりシートＳの通過が検出できるように構成されている。
【００２３】
シート搬送装置９０２は、搬送ローラ対１０５と、レジスト前ローラ対１３０及びレジストローラ対１１０を有するレジストローラ部とを備えている。そして、シート給送装置１００１〜１００４から給送されたシートＳは搬送ローラ対１０５により、ガイド板によって構成されるシート搬送路を通過した後、レジストローラ対１１０に導かれるようになっている。さらに、シートＳは、この後、レジストローラ対１１０によって画像形成部９０１に搬送されるようになっている。
【００２４】
画像形成部９０１は、感光ドラム１１２、レーザスキャナ１１１、現像器１１４、転写帯電器１１５、分離帯電器１１６等を備えている。そして、画像形成の際には、レーザスキャナ１１１からのレーザ光がミラー１１３によって折り返されて時計方向に回転する感光ドラム上に照射されることにより、感光ドラム上に潜像が形成される。さらに、このようにして感光ドラム上に形成された潜像は、この後、現像器１１４によってトナー像として顕像化されるようになっている。
【００２５】
なお、この感光ドラム上のトナー像は、この後、転写部１１２ａにおいて、転写帯電器１１５によりシートＳに転写される。さらに、このようにトナー像が転写されたシートＳは、分離帯電器１１６により感光ドラム１１２から静電分離された後、搬送ベルト１１７により定着装置１１８に搬送されてトナー像の定着が行われ、この後、排出ローラ１１９によって排出される。
【００２６】
また、定着装置１１８と排紙ローラ１１９の間の搬送経路中に排紙センサ１２１が設けられており、この排紙センサ１２１により排出されるシートＳの通過が検出できるように構成されている。
【００２７】
ところで、図１において、９０３はプリンタ本体９００の下部に設けられ、シート収納空間を構成するカセット収納庫であり、このカセット収納庫９０３には、搬出口を除いて略密閉状態の複数（４つ）のカセット収納部９０４が上下方向に設けられている。そして、このカセット収納部９０４に、それぞれ給紙カセット１０が収納される。
【００２８】
なお、図２は、給紙カセット１０の構成を示す平面図であり、図３はその主断面図である。なお、本実施の形態において、給紙カセット１０はカセット収納部９０４にシート搬送方向と直交する幅方向から着脱されるようになっている。
【００２９】
図２及び図３において、５１、５２は給紙カセット１０に積載収納されたシートの、幅方向の位置を規制するサイド規制板であり、これらのサイド規制板５１，５２はシートのサイズに合わせて幅方向に移動可能な構成となっている。また、５３はシートのシート搬送方向の後端位置を規制するための後端規制板であり、この後端規制板５３はシートのサイズに合わせてシート搬送方向に移動可能な構成となっている。
【００３０】
なお、給紙カセット１０は、カセット収納部９０４の内壁面に設けられた不図示のカセットレールに沿って引き出し可能となっており、使用者がシートをセットする場合には、給紙カセット１０をプリンタ本体９００から手前側へ引き出す事が可能となっている。
【００３１】
また、給紙カセット１０がカセット収納部９０４に収納されると、図１に示す給紙カセット１０の装着の有無を検知する装着検知部であるカセット着脱センサ１８，２８，３８，４８に検知される。
【００３２】
そして、このカセット着脱検知センサ１８，２８，３８，４８からの検知信号はコントローラ１２０へ送信される。コントローラ１２０は、このカセット着脱検知センサ１８，２８，３８，４８からの検知信号（検知結果）に基づいて給紙カセット１０がカセット収納部９０４に装着されている状態か、もしくは引き出されている状態かを検知できるようになっている。
【００３３】
また、給紙カセット１０内にはシートＳを積載するための軸６１，６２を支点として上下方向に回動自在なシート積載板５６が設けられており、このシート積載板５６の下方にはシート積載板５６を昇降させる昇降部材であるリフター板５７が設けられている。なお、このリフター板５７はリフター駆動軸５８に取り付けられており、リフター駆動軸５８上に備わるリフター駆動ギア５９からの駆動入力により、回動自在となっている。
【００３４】
そして、給紙カセット１０をプリンタ本体９００へ装着すると、不図示の駆動源よりリフター駆動ギア５９へ駆動伝達が行われてリフター板５７が上方回動し、これに伴いシート積載板５６は上方回動する。これにより、シート積載板５６に積載されたシートはピックアップローラ１１に圧接し、この状態でピックアップローラ１１が回転することにより、シートが送り出される。
【００３５】
なお、給紙カセット１０の上方には、シート積載板５６に積載された最上位のシートの紙面位置が給送のための適切な高さに有るか、即ち最上位のシートの紙面位置が給送可能な位置に達したことを検知するための紙面位置検知センサ５５が設けられている。
【００３６】
そして、コントローラ１２０は、この紙面位置検知センサ５５からの信号に基づいてリフター板５７を回動させ、最上位のシートの紙面位置を適正な紙面高さに維持するようにしている。なお、給送動作に伴い、シートが順次上から給送され、紙面高さが徐々に下がり、紙面位置検知センサ５５がＯＦＦになると、コントローラ１２０は再度不図示の駆動源により、リフター板５７を上方回動させてシート積載板５６を上方回動させるようにしている。これにより、常に最上位のシートの紙面位置を一定範囲内に制御することができる。
【００３７】
なお、図１において、１９、２９、３９、４９は、それぞれのカセット内のシートの有無を検知するシート有無検知部であるシート有無検知センサ、９１はシート収納庫９０３（カセット収納部９０４）の湿度を検知する湿度検知部である湿度センサである。そして、これら各センサの検知信号は、後述する図６に示すようにコントローラ１２０に入力される。
【００３８】
また、図１において、３５０はカセット収納庫９０３に隣接して配置された除湿装置であり、３５０ａは除湿装置３５０の筐体である。この筐体３５０ａの内部には、図１及び図４に示すようにカセット収納庫９０３と連通する乾燥空間を構成する除湿ダクト３５１と、後述する除湿部材を再生させる再生空間を構成する加熱再生ダクト３５２が形成されている。
【００３９】
さらに、加熱再生ダクト３５２の内部には加熱部である加熱用ヒータ３０９が配置されると共に、外気導入口３９１、排出口３９２を有し、排気ファン３９０が設けられた排気通路Ｒ１を有している。そして、この排気通路Ｒ１により、湿気を含んだ空気を外部へ排出する排気エアフローＰが形成される。また、除湿ダクト３５１では、カセット収納部９０４との連通部に設けられた内部循環ファン３８０により、カセット収納部９０４との間で内部循環エアフローＪが形成される。
【００４０】
さらに、除湿装置３５０の中央部には、円筒状形状の加熱再生型の除湿部材３５４が水平方向に回転可能に垂設されている。そして、この除湿部材３５４は、その円筒中心に設けられた回転軸３５５を後述する図６に示す回転駆動部であるモータＭによって回転させることにより、反時計方向（矢印）に１８０度毎、回転させることができる。
【００４１】
ここで、この円筒状の除湿部材３５４は仕切り部材３５６により、回転（移動）方向に複数、例えば２つに分割されている。なお、本実施の形態においては、除湿部材３５４は、仕切り部材３５６の両面に、それぞれ断面半月状の加熱再生型の除湿材料を固着して形成されている。
【００４２】
図１及び図４において、３５３は筐体内部に設けられ、除湿ダクト３５１と加熱再生ダクト３５２とを仕切るための固定壁である。なお、除湿部材３５４は１８０度回転すると、図４に示すように仕切り部材３５６と、固定壁３５３との位置が一致するように取り付けられている。そして、このように仕切り部材３５６と、固定壁３５３との位置が一致すると、除湿ダクト３５１と加熱再生ダクト３５２とを仕切ることができる。
【００４３】
ここで、このように仕切り部材３５６が除湿ダクト３５１と加熱再生ダクト３５２とを仕切る位置にあるとき、除湿部材３５４は、それぞれ半分が除湿ダクト３５１及び加熱再生ダクト３５２に位置するようになる。
【００４４】
これにより、除湿ダクト３５１では、除湿部材３５４の除湿ダクト側の部分（以下、除湿部材除湿ダクト側部分という）３５４ａで除湿が行われる。また、加熱再生ダクト３５２では除湿部材３５４の加熱再生側の部分（以下、除湿部材加熱再生ダクト側部分という）３５４ｂに対する加熱再生処理が行われるようになる。そして、このように除湿部材３５４の半分が、それぞれ除湿ダクト３５１及び加熱再生ダクト３５２に位置することにより、除湿及び加熱再生を効率よく行うことができる。
【００４５】
なお、仕切り部材３５６の両端の固定壁３５３との接触部は、ダクト密閉のためにゴム等の弾性体から成るシール部材で構成しても良い。また、加熱再生型の除湿部材３５４は、水分を含む空気環境下では水分を吸着し、高温の環境下では水分を放出する多孔質の材質を有する、例えばゼオライトなどの素材で構成されている。
【００４６】
次に、このように構成された除湿装置３５０における除湿及び加熱再生動作について説明する。
【００４７】
通常、概略密閉されたカセット収納庫９０３の内部では、図４に示すようにファン３８０が矢印で示すようなエアフローＪを作り出し、カセット収納庫内の水分を除湿部材除湿ダクト側部分３５４ａに吸着させる。これにより、カセット収納庫内が除湿される。
【００４８】
この後、所定のタイミングで、除湿部材３５４を回転軸３５５を中心にして１８０度回転させる。これにより、水分を吸着した除湿部材除湿ダクト側部分３５４ａは加熱再生ダクト側へと送られると共に、それまで加熱再生ダクト３５２に位置していた除湿部材加熱再生ダクト側部分３５４ｂが除湿ダクト３５１内に移動する。
【００４９】
ここで、この除湿部材加熱再生ダクト側部分３５４ｂは、加熱用ヒータ３０９により加熱されて乾燥しているので、この後、カセット収納庫内の水分を吸着することができる。一方、加熱再生ダクト側へと送られた除湿部材除湿ダクト側部分３５４ａは、加熱再生ダクト３５２において、加熱用ヒータ３０９により加熱されることにより乾燥し、再生される。
【００５０】
そして、このような加熱乾燥動作により除湿部材除湿ダクト側部分３５４ａから放出された湿気は、図１の矢印で示すように排出口３９２からファン３９０によって作り出されたエアフローＰにより装置本体外部へと排出される。
【００５１】
なお、この後、水分が放出されて吸湿可能に再生された除湿ダクト側部分３５４ａは、再び回転駆動によって除湿ダクト側へと送られる。このサイクルにより、カセット収納庫９０３の除湿が可能となる。この結果、カセット収納庫９０３に設けられた４つのカセット収納部９０４に装着された給紙カセット１０に収納されたシートの除湿が可能となる。
【００５２】
ここで、このような除湿動作の際、カセット収納庫内は概略密閉された状態で除湿されるため、除湿の効率が高いものとなる。また、このように構成することにより、煩雑なエアフローの切り換え制御を行うことなく、加熱再生の熱を持ったエアを除湿装置内部、或はカセット収納庫９０３に入ることなく除湿装置外へ放出することができる。これにより、除湿装置内部、或はカセット収納庫９０３の不要な昇温を、防ぐことができる。
【００５３】
次に、コントローラ１２０による除湿装置３５０の除湿制御動作の具体例について図５に示すフローチャートと、図６に示すコントローラ１２０の構成を示す図を用いて説明する。
【００５４】
例えば、ユーザが不図示の操作部により除湿動作を指示すると、或は所定の除湿タイミングとなると、コントローラ１２０は、除湿動作を行う場合、まず電力面から除湿動作が可能かどうか判断を行う（Ｓ１０１）。つまり、プリンタ１０００が低電力モードや、プリント動作などの動作モードの場合には、電力を制限する必要があるため、ヒータ点灯による除湿動作が行えないことから、動作モードを判断する。
【００５５】
除湿動作が可能と判断した場合（Ｓ１０１のＹ）、コントローラ１２０は、次にカセット収納部９０４に給紙カセット１０が収納されているかを判断する（Ｓ１０２）。ここで、図６に示すカセット着脱センサ１８，２８，３８，４８からの入力Ｉｎ１〜Ｉｎ４がともに給紙カセット有りを示していれば給紙カセット有りと判断し（Ｓ１０２のＹ）、次に給紙カセット１０にシートが有るか判断する（Ｓ１０３）。
【００５６】
ここで、シート有無検知センサ１９，２９，３９，４９からの入力Ｉｎ５〜Ｉｎ８の何れかがシートありを示していれば、コントローラ１２０は、シート有りと判断する（Ｓ１０３のＹ）。次に、コントローラ１２０は、湿度センサ９１の検知信号により、カセット収納庫内の湿度ｈが、所定の値であるＨ１以上かを判断する（Ｓ１０４）。
【００５７】
このとき湿度センサ９１からのＡ／Ｄ値に基づいて検出された湿度値ｈが所定の湿度Ｈ１以上の場合は（Ｓ１０４のＹ）、コントローラ１２０は、カセット収納庫（カセット収納部）内は高湿と判断して、強い除湿動作を行う（Ｓ１０５）。この場合、図６に示す、Ｏｕｔ１〜Ｏｕｔ３をＬレベルとし、モータＭ、ファン３８０、ファン３９０をオンすると共に、Ｏｕｔ４をＬレベル、Ｏｕｔ５をＨレベルとして加熱用ヒータ３０９を２４Ｖで駆動し、強力に加熱動作を行う。
【００５８】
これにより、カセット収納庫９０３は除湿部材除湿ダクト側部分３５４ａにより除湿される。この後、除湿部材３５４が１８０度回転することにより、除湿部材除湿ダクト側部分３５４ａは加熱再生ダクト３５２に移動し、加熱再生ダクト内で加熱用ヒータ３０９により加熱再生処理され、次に除湿動作に備える。
【００５９】
また、湿度ｈがＨ１以下の場合は（Ｓ１０４のＮ）、コントローラ１２０は、次に湿度ｈがＨ２以上かを判断する（Ｓ１０６）。このとき湿度センサ９１からのＡ／Ｄ値に基づいて検出された湿度値ｈが所定の湿度Ｈ２以上の場合は（Ｓ１０６のＹ）、コントローラ１２０は、カセット収納庫内は中湿と判断して、弱い除湿動作を行う（Ｓ１０７）。
【００６０】
この場合、Ｏｕｔ１〜Ｏｕｔ３をＬレベルとしてモータＭ、ファン３８０、ファン３９０をオンすると共にＯｕｔ４をＨレベル、Ｏｕｔ５をＬレベルとして加熱用ヒータ３０９を１２Ｖで駆動し、弱い加熱動作を行う。
【００６１】
なお、湿度ｈがＨ２以下となった場合（Ｓ１０６のＮ）、またはＳ１０１〜Ｓ１０３の条件で除湿動作を行わない場合、コントローラ１２０は除湿動作を停止する（Ｓ１０８）。この場合、Ｏｕｔ１〜Ｏｕｔ５をＨレベルとしてモータＭ、ファン３８０、ファン３９０、加熱用ヒータ３０９をオフする。
【００６２】
このようなシーケンス及びシーケンスを実現可能とする制御回路により、加熱再生型の除湿部材３５４を用いたカセット収納庫内の状態に応じた除湿動作の制御が可能となる。
【００６３】
このように、除湿装置３５０は除湿動作を、除湿部材除湿ダクト側部分３５４ａで行うと共に再生動作を除湿部材加熱再生ダクト側部分３５４ｂで行うことができるので、常時再生した除湿部材３５４を除湿ダクト３５１へ供給することができる。
【００６４】
即ち、除湿部材３５４では、吸湿→加熱再生→吸湿のサイクルが行われるのでカセット収納庫９０３を常に低湿度に保持することができる。これにより、高湿環境下でもカセット収納庫内部を低湿度に保つことができ、コート紙同士の吸着を防止することができる。また画像形成の際においても、シートの吸湿を防ぐことができるので、転写電流を一定に保つことができ、良好なトナー像の転写が可能となる。
【００６５】
つまり、除湿ダクト３５１と加熱再生ダクト３５２とを仕切る除湿部材３５４を回転させて除湿部材除湿ダクト側部分３５４ａを除湿ダクト３５１に移動し、加熱用ヒータ３０９により加熱して再生させることにより、除湿及び再生を効率的に行うことができる。この結果、シートの吸湿を原因とする給紙不良や画像不良を防止することができ、さらに、装置の消費電力の低減に寄与することができる。
【００６６】
なお、これまでの説明においては、給紙カセット１０の有無、シートの有無及びカセット収納庫９０３の湿度に基づいて制御を行ったが、除湿対象となる部位の状態を検知する情報であれば、これらの入力情報に限られるものではない。
【００６７】
また、除湿動作の強弱切り換えを、ヒータ３０９への印加電圧の切り換えにより行う場合について説明を行ったが、ファン３８０，３９０への印加電圧による風量制御等と組み合わせても同様の効果を得ることができる。
【００６８】
さらに、ヒータ３０９の駆動をＤＣ電圧による駆動とし、ヒータ３０９への印加電圧の切り換えをＤＣ電圧の切り換えにより行う場合について説明を行ったが、これに限るものではない。例えば、ＤＣ電圧による駆動の場合はＰＷＭ駆動によるデューティ制御や複数のヒータ３０９の点灯個数制御などでも実現可能である。また、ヒータ３０９をＡＣ電圧印加とした場合は、全波駆動／半波駆動の切り換えや、波数制御の切り換えでも同様の効果が可能である。
【００６９】
なお、本実施の形態では、カセット収納庫９０３に連通して除湿装置３５０を設けることにより除湿を行う構成について説明したが、複数（４つ）のカセット収納部９０４のうちの任意の１段、乃至複数段毎に、連通させるようにしてもよい。また、カセット収納庫９０３に限定されるものではなく、プリンタ本体９００に除湿装置３５０を取り付けて、プリンタ本体内の除湿の管理を行うようにしてもよい。
【００７０】
次に、本発明の第２の実施の形態について説明する。なお、本実施の形態においては、除湿装置３５０を給紙カセットに取り付けるようにしている。
【００７１】
図７は、本実施の形態に係る画像形成装置に取り付けられる、除湿装置が取り付けられた増設用カセットである特殊シート用給送カセット３００を示す平面図である。ここで、この特殊シート用給送カセット３００は、コート紙等の給送分離し難いシートを収納する場合、図８に示すようにカセット１０に増設されるようになっている。なお、本実施の形態においては、特殊シート用給送カセット３００をカセット１０に増設しているが、直接、給紙カセットとしてカセット収納庫９０３に着脱自在に装着するように構成しても良い。
【００７２】
図７及び図８に示すように、特殊シート用給送カセット３００は、筐体３０１を有している。そして、筐体３０１には幅方向内壁３０２，３０３及びシート給紙方向後端の内壁３０４により、Ａ４サイズ、Ｂ４サイズ等のサイズ毎にその形状寸法が設定されたシート収容部３２０が設けられている。さらに、このシート収容部３２０内にはシート積載板５６Ａが支持部３２６，３２７により上下方向に回動（移動）可能に保持されている。
【００７３】
そして、除湿装置３５０は、幅方向の奥側内壁３０３を介して特殊シート用給送カセット３００に取り付けられている。ここで、この除湿装置３５０は、図９に示すように、内部に後述するシート収納空間と連通する除湿ダクト３５１と、除湿部材３５４を再生させる加熱再生ダクト３５２が形成されている筐体３５０ａを備えている。
【００７４】
ここで、加熱再生ダクト３５２の内部には加熱用ヒータ３０９が配置されると共に、不図示の外気導入口、排出口３９２を有し、排気ファン３９０が設けられた排気通路Ｒ１を有している。そして、この排気通路Ｒ１により、湿気を含んだ空気を外部へ排出する排気エアフローＰが形成される。また、除湿ダクト３５１では、後述するシート収納空間との連通部に設けられた内部循環ファン３８０により、シート収納空間との間に内部循環エアフローＪが形成される。
【００７５】
さらに、除湿装置３５０には、円柱状の加熱再生型の除湿部材３５４が奥側内壁３０３に沿って回転可能に設けられている。そして、この除湿部材３５４は、その円筒中心に設けられた回転軸３５５により時計方向（矢印）に１８０度毎、回転させることができる。なお、この除湿部材３５４は、１８０度回転すると、固定壁３５３との位置が一致するように取り付けられており、仕切り部材３５６と、固定壁３５３との位置が一致すると、除湿ダクト３５１と加熱再生ダクト３５２とを仕切ることができる。
【００７６】
ここで、このように除湿ダクト３５１と加熱再生ダクト３５２とを仕切る位置にあるとき、除湿部材３５４は、それぞれ半分が除湿ダクト３５１及び加熱再生ダクト３５２に位置するようになる。これにより、除湿ダクト３５１では、除湿部材除湿ダクト側部分３５４ａで除湿が行われ、除湿部材加熱再生ダクト側部分３５４ｂに対する加熱再生処理が行われるようになる。
【００７７】
また、図１０に示すようにシート収容部３２０の上方には、シート収容部３２０を略密閉してシート収納空間３００Ａを形成するカバーである上蓋３２２がヒンジ３２１により開閉自在に設けられている。
【００７８】
この上蓋３２２は、シート搬送時の負荷にならないように図１０の（ｂ）に示す閉状態でシート収容部３２０に収納された不図示のシートの最上位シートより所定量だけ上方に位置するようになっている。また、紙面位置センサ（図３参照）及びピックアップローラ（図３参照）用の逃げ穴３２３，３２４が設けられている。
【００７９】
さらに、送風エアによって上蓋３２２が浮き上がったり、エアが漏れてシートの捌き効果を阻害しないように、上蓋３２２には閉じた際、筐体３０１と密着するように、不図示のマジックテープ（登録商標）等の簡易ロック手段、モルトプレン等のシール部材が備えられている。なお、本実施の形態においては、上蓋３２２を閉じた際、上蓋３２２と最上位シートとの間隔が、例えば２〜２０ｍｍ程度となるように設定しており、これにより給紙搬送時やシートの分離時の妨げにはならないようにしている。
【００８０】
次に、この特殊シート用給送カセット３００をカセット１０へ装着させる手順について説明する。
【００８１】
まず、給紙カセット１０のシート積載板５６（図２参照）を外す。なお、シート積載板５６はカセット１０の筐体内壁に設けた支持ピン６１，６２（図２参照）を取り外すことで容易に着脱できる。または、支持ピン６１，６２をカセット１０の筐体とともにプラスチック一体成形し、プラスチック弾性変形させるようにして着脱しても良い。
【００８２】
次に、後端規制板５３（図２参照）、サイド規制板５１，５２（図２参照）を特殊シート用給送カセット３００が挿入可能な位置まで退避させる。もしくは、後端規制板５３、サイド規制板５１，５２を取り外す。
【００８３】
そして、この後、図８に示すように特殊シート用給送カセット３００を上蓋３２２を閉じた状態で、カセット１０の所定位置に位置決めする。最後に、特殊シート用給送カセット３００の電気的信号、制御を行うためのコネクタ線３３０をカセット収納部内の不図示の接続ケーブルに結合させる。
【００８４】
この接続ケーブルはフレキシブルケーブル等でカセット１０の出し入れの範囲内で常に電気的接続を保つようにする。または、ドロワコネクタ接続として、カセット１０の装着時に電気的接続を行うように構成することも可能である。
【００８５】
なお、このように特殊シート用給送カセット３００が装着されたカセット１０をプリンタ本体９００へ装着すると、通常のカセット１０を装着した場合と同様に、リフター板５７がシート積載板５６Ａに作用する。これにより、シート積載板５６Ａが支持部３２６，３２７を支点として上方回動し、この後、紙面高さセンサ５５からの信号に基づきシート上面位置が略一定に維持される。
【００８６】
このとき、特殊シート用給送カセット３００のシート収容部３２０の底面には、図１０に示すようにリフター板５７の逃げ穴３２５が形成されているので、通常カセット時と同様のリフター機構制御が可能となっている。
【００８７】
このように、特殊シート用給送カセット３００の装着時には、概略密閉されたシート収容部３２０及び除湿ダクト内部を再生した除湿部材３５４により除湿・乾燥することができる。また、吸湿した除湿部材３５４は加熱再生ダクト３５２においてヒータ３０９により加熱再生を行うことができる。これにより、除湿部材３５４の除湿及び再生を効率的に行うことができ、この結果、シートの吸湿を原因とする給紙不良や画像不良を防止することができ、さらに、装置の消費電力の低減に寄与することができる。
【００８８】
なお、本実施の形態では特殊シート用給送カセット３００のシート収容部３２０の奥側に除湿装置３５０を設けたが、奥側に限定するものではなく、シート収容部３２０に隣接する側面であればどこに設けても良い。
【００８９】
また、これまでの説明において、除湿部材３５４は円筒状のものとしたが本発明は、これに限らず、除湿ダクト３５１と加熱再生ダクト３５２とを密閉した状態で仕切ることができれば、どのような形状でもかまわない。また、除湿部材３５４を手動により回転させるようにしても良い。
【図面の簡単な説明】
【００９０】
【図１】本発明の実施の形態に係る画像形成装置の一例であるプリンタの断面図。
【図２】上記プリンタに設けられた給紙カセットの平面図。
【図３】上記給紙カセットの断面図。
【図４】上記プリンタに設けられた除湿装置の構成を説明する上視図。
【図５】上記プリンタに設けられたコントローラによる除湿装置を用いた除湿制御動作を示すフローチャート。
【図６】上記コントローラの構成を示す図。
【図７】本発明の第２の実施の形態に係る画像形成装置に取り付けられる特殊シート用給送カセットを示す平面図。
【図８】上記特殊シート用給送カセットが取り付けられたカセットの平面図。
【図９】上記特殊シート用給送カセットが取り付けられたカセットの断面図。
【図１０】上記特殊シートカセットの斜視図。
【符号の説明】
【００９１】
１０      給紙カセット
１８，２８，３８，４８  カセット着脱センサ
１９，２９，３９，４９  シート有無検知センサ
５６Ａ    シート積載板
５７      リフター板
９１      湿度センサ
１０００  プリンタ
１２０    コントローラ
３００    特殊シート用給送カセット
３０１    筐体
３０９    加熱用ヒータ
３２０    シート収容部
３２２    上蓋
３５０    除湿装置
３５０ａ  筐体
３５１    除湿ダクト
３５２    加熱再生ダクト
３５３    固定壁
３５４    除湿部材
３５４ａ  除湿部材除湿ダクト側部分
３５４ｂ  除湿部材加熱再生ダクト側部分
３５６    仕切り部材
９００    プリンタ本体
９０１    画像形成部
９０３    カセット収納庫
９０４    カセット収納部
Ｍ        モータ
Ｓ        シート
【図１】
2008256872.tif 000003
【図２】
2008256872.tif 000004
【図３】
2008256872.tif 000005
【図４】
2008256872.tif 000006
【図５】
2008256872.tif 000007
【図６】
2008256872.tif 000008
【図７】
2008256872.tif 000009
【図８】
2008256872.tif 000010
【図９】
2008256872.tif 000011
【図１０】
2008256872.tif 000012